(57)【要約】【課題】釜場排水よりも容易な排水を可能にする鋼製土留材及び鋼製土留材を用いた集水方法を実現する。【解決手段】一方の面を立坑の坑壁Ｗに向けて設置される鋼製土留材１００の他方の面には、その鋼製土留材１００に形成されている小孔１０を通じて坑壁Ｗ側から誘導された湧水を溜める集水部３０が設けられている。そして、鋼製土留材１００の小孔１０から挿し入れて坑壁Ｗに埋め込んだ集水管５０を通じて誘導した湧水を集水部３０に溜めるようにすれば、その集水部３０に集水した湧水をポンプなどによって地上へ排水することができる。こうした排水処理によって、立坑の底部に湧水が溜まらないようにすることができるので、立坑の底部に釜場をつくったり、その釜場の位置を調整するようにつくり直したりする必要がなく、好適に立坑を掘り進めることができる。【選択図】図１
2019173421.tif 000002
【特許請求の範囲】
【請求項１】
一方の面を立坑の坑壁に向けて設置される鋼製土留材であって、
当該鋼製土留材には１又は複数の小孔が形成されており、
当該鋼製土留材の他方の面には、前記小孔を通じて前記坑壁側から誘導された湧水を溜める集水部が設けられていることを特徴とする鋼製土留材。
【請求項２】
当該鋼製土留材の一方の面には、前記坑壁に当接してその坑壁からの湧水を一時的に溜める貯水部が設けられ、
前記貯水部は、その貯水部に溜まる湧水の水位が前記小孔に達する配置に設けられており、
前記貯水部に溜まった湧水が前記小孔を通じて前記集水部に誘導されるように構成されていることを特徴とする請求項１に記載の鋼製土留材。
【請求項３】
前記小孔には、濾過部材が配設されていることを特徴とする請求項１又は２に記載の鋼製土留材。
【請求項４】
前記小孔から前記集水部へ湧水を流す流路部が設けられていることを特徴とする請求項１〜３のいずれか一項に記載の鋼製土留材。
【請求項５】
前記小孔から前記坑壁に向けて挿し入れられる集水管を備えたことを特徴とする請求項１〜４のいずれか一項に記載の鋼製土留材。
【請求項６】
請求項１に記載の鋼製土留材を用いた集水方法であって、
前記鋼製土留材を立坑の坑壁に設置した後、前記小孔から集水管を挿し入れ、前記坑壁からの湧水をその集水管を通じて前記集水部に誘導できる位置まで、前記集水管を前記坑壁に埋め込む工程を有し、
前記集水管を通じて誘導された湧水を前記集水部に集水することを特徴とする鋼製土留材を用いた集水方法。
【発明の詳細な説明】
【技術分野】
【０００１】
本発明は、鋼製土留材及び鋼製土留材を用いた集水方法に関する。
【背景技術】
【０００２】
従来、立坑や集水井などの覆工材に用いられるライナープレートが知られている（例えば、特許文献１参照。）。
例えば、深礎工法用の立坑を施工する際、立坑の坑壁にライナープレートを設置して土留めを行っている。
【０００３】
そして、立坑の掘削中に坑壁からの湧水が立坑の底部に溜まるようであれば、その底部に釜場をつくり、釜場に溜まった湧水をポンプによって地上へ排水するようにしている（例えば、非特許文献１，２参照。）。
【先行技術文献】
【特許文献】
【０００４】
【特許文献１】特開平９−１２５８８８号公報
【非特許文献】
【０００５】
【非特許文献１】ＪＦＥ建材株式会社ホームページ、［平成３０年１月３０日検索］、インターネット＜ＵＲＬ：https://ssl.jfe-kenzai.co.jp/demand/index.php＞、土木商品 ＪＦＥライナープレート技術資料,4-3-2 掘削・排水（３７頁）
【非特許文献２】北日本建材リース株式会社ホームページ、［平成３０年１月３０日検索］、インターネット＜ＵＲＬ：http://www.kkl.co.jp/archives/12＞、ライナープレートの製品カタログ,１１頁,(7)地下水の対策,図９
【発明の概要】
【発明が解決しようとする課題】
【０００６】
しかしながら、釜場排水を行う場合、立坑を掘り進めるにあたってはその都度、釜場の位置を変えるようにつくり直さなければならず煩雑であり、その煩雑な作業のために立坑施工に要する工期が延長してしまうことがあるという問題があった。
【０００７】
本発明の目的は、釜場排水よりも容易な排水を可能にする鋼製土留材及び鋼製土留材を用いた集水方法を提供することである。
【課題を解決するための手段】
【０００８】
上記目的を達成するため、本出願に係る一の発明は、
一方の面を立坑の坑壁に向けて設置される鋼製土留材であって、
当該鋼製土留材には１又は複数の小孔が形成されており、
当該鋼製土留材の他方の面には、前記小孔を通じて前記坑壁側から誘導された湧水を溜める集水部が設けられているようにした。
【０００９】
かかる構成の鋼製土留材を立坑の坑壁に設置すれば、小孔を通じて坑壁側から誘導された湧水を集水部（集水部材、集水容器）に溜めることができる。
そして、鋼製土留材の集水部に溜まった湧水をポンプなどによって地上へ排水することができる。
こうした排水処理によって、立坑の底部に湧水が溜まらないようにすることができるので、立坑の底部に釜場をつくったり、その釜場の位置を調整するようにつくり直したりする必要がなく、好適に立坑を掘り進めることができる。
つまり、この鋼製土留材を立坑の坑壁に設置するように用いれば、釜場排水よりも容易な排水を可能にし、立坑の施工を好適に行うことができる。
【００１０】
また、望ましくは、
当該鋼製土留材の一方の面には、前記坑壁に当接してその坑壁からの湧水を一時的に溜める貯水部が設けられ、
前記貯水部は、その貯水部に溜まる湧水の水位が前記小孔に達する配置に設けられており、
前記貯水部に溜まった湧水が前記小孔を通じて前記集水部に誘導されるように構成されているようにする。
【００１１】
鋼製土留材の一方の面に貯水部（貯水部材、貯水容器）が設けられていれば、坑壁と鋼製土留材の間で坑壁からの湧水を一時的に溜め、その貯水部に溜まった湧水を、小孔を通じて鋼製土留材の他方の面の集水部に溜めることができる。
【００１２】
また、望ましくは、
前記小孔には、濾過部材が配設されているようにする。
【００１３】
鋼製土留材の小孔に濾過部材が配設されていれば、例えば、砂礫を通過させないように湧水のみを通過させて、集水部に溜めることができる。
【００１４】
また、望ましくは、
前記小孔から前記集水部へ湧水を流す流路部が設けられているようにする。
【００１５】
鋼製土留材の小孔から集水部へ湧水を流す流路部が設けられていれば、坑壁からの湧水を集水部に向けて好適に流すことができ、集水部に湧水を溜めることができる。
【００１６】
また、望ましくは、
前記小孔から前記坑壁に向けて挿し入れられる集水管を備えているようにする。
【００１７】
鋼製土留材の小孔から坑壁に向けて挿し入れられる集水管を備えていれば、坑壁と鋼製土留材の間に隙間があっても、坑壁からの湧水を集水管を通じて集水部に誘導し、集水部に溜めることができる。
【００１８】
また、本出願に係る他の発明は、
上記した鋼製土留材を用いた集水方法であって、
前記鋼製土留材を立坑の坑壁に設置した後、前記小孔から集水管を挿し入れ、前記坑壁からの湧水をその集水管を通じて前記集水部に誘導できる位置まで、前記集水管を前記坑壁に埋め込む工程を有し、
前記集水管を通じて誘導された湧水を前記集水部に集水するようにした。
【００１９】
かかる構成の集水方法であれば、立坑の坑壁に設置した鋼製土留材の小孔から挿し入れて坑壁に埋め込んだ集水管を通じて、集水部（集水部材、集水容器）に湧水を溜めることができる。
例えば、集水管の一端部を鋼製土留材の小孔から挿し入れ、集水管の他端部が集水部の上方に相当する位置になるまで、その集水管を坑壁に埋め込むようにすれば、集水管の他端部から流れ出る湧水を集水部に誘導して集水することができる。
そして、鋼製土留材の集水部に溜まった湧水をポンプなどによって地上へ排水することができる。
こうした排水処理によって、立坑の底部に湧水が溜まらないようにすることができるので、立坑の底部に釜場をつくったり、その釜場の位置を調整するようにつくり直したりする必要がなく、好適に立坑を掘り進めることができる。
つまり、この鋼製土留材を用いた集水方法であれば、釜場排水よりも容易な排水を可能にし、立坑の施工を好適に行うことができる。
【発明の効果】
【００２０】
本発明によれば、釜場排水よりも容易な排水を可能にする鋼製土留材及び鋼製土留材を用いた集水方法が得られる。
【図面の簡単な説明】
【００２１】
【図１】本実施形態の鋼製土留材を示す斜視図（ａ）と、その断面図（ｂ）である。
【図２】本実施形態の鋼製土留材の変形例を示す断面図（ａ）（ｂ）（ｃ）である。
【図３】立坑の坑壁に鋼製土留材を設置して集水する手順に関する説明図（ａ）（ｂ）である。
【図４】立坑の坑壁に設置した複数の鋼製土留材（円筒状の土留め構造物）を示す上面図である。
【図５】立坑の坑壁に鋼製土留材を設置して集水する手順に関する説明図である。
【発明を実施するための形態】
【００２２】
以下、図面を参照して、本発明に係る鋼製土留材及び鋼製土留材を用いた集水方法の実施形態について詳細に説明する。但し、以下に述べる実施形態には、本発明を実施するために技術的に好ましい種々の限定が付されているが、本発明の範囲を以下の実施形態及び図示例に限定するものではない。
【００２３】
本実施形態の鋼製土留材１００は、例えば、図１（ａ）（ｂ）に示すように、円弧状に湾曲した波付鋼板１１と、波付鋼板１１の左右両側に配設された軸方向フランジ１２を備えている。また、波付鋼板１１の上端部と下端部はそれぞれ周方向フランジ１３として形成されている。
軸方向フランジ１２と周方向フランジ１３には、それぞれ連結孔１２ａ、１３ａが設けられている。この連結孔１２ａ、１３ａを使って上下左右方向に複数の鋼製土留材１００をボルト接合して、円筒状の土留め構造物を立坑内に構築することができる。
立坑内に円筒状の土留め構造物を構築する際、鋼製土留材１００は、外側に凸に湾曲した一方の面を立坑の坑壁に向けて設置される。
【００２４】
特に、この鋼製土留材１００の波付鋼板１１には、複数の小孔１０が形成されている。本実施形態では、鋼製土留材１００の下段に２つ、中段に２つ、上段に２つの、計６つの小孔１０が設けられている。
そして、鋼製土留材１００の一方の面には、坑壁に当接して、坑壁からの湧水を一時的に溜める貯水部２０が設けられている。
また、鋼製土留材１００の他方の面には、小孔１０を通じて坑壁側から誘導された湧水を溜める集水部３０が設けられている。
【００２５】
貯水部２０は、例えば、鋼製土留材１００の一方の面に配設された樋状容器２１と、その樋状容器２１の縁に沿って設けられた可撓板２２と、を有している。
本実施形態では、鋼製土留材１００の一方の面の下部に貯水部２０を設けている。
可撓板２２は、例えば、硬質ゴムからなる部材であり、鋼製土留材１００を立坑の坑壁に設置した際、その坑壁に当接して、坑壁と樋状容器２１の間に隙間を生じさせないようにする機能を有している。この可撓板２２を伝わって、坑壁からの湧水が樋状容器２１内に溜まるようになっている。
特に、貯水部２０は、貯水部２０（樋状容器２１）に溜まる湧水の水位が小孔１０に達する配置に設けられている。
そして、貯水部２０に溜まった湧水が小孔１０を通じて集水部３０に誘導されるように構成されている。
【００２６】
また、小孔１０には、濾過部材４０が配設されている。
濾過部材４０は、例えば、合成繊維製のフィルターであり、湧水を通過させ、砂礫を通過させないように小孔１０部分に配設されている。ここでは、鋼製土留材１００の一方の面側に濾過部材４０が配設されている。
【００２７】
集水部３０は、例えば、鋼製土留材１００の他方の面に配設された樋状部材であり、小孔１０などを通じて誘導された湧水がその容器内に溜まるようになっている。
本実施形態では、小孔１０の下側に集水部３０を設け、集水部３０の容器内に湧水を溜めるようにしている。
この集水部３０に溜まった湧水をポンプなどによって地上へ排水するようにする。
こうすることで、立坑の底部には殆ど湧水が溜まらないので、釜場をつくる必要がなく、好適に立坑を掘り進めることが可能になる。
【００２８】
なお、本発明の鋼製土留材１００は、上記実施形態に限られるものではない。
例えば、図２（ａ）に示すように、鋼製土留材１００は、小孔１０から坑壁に向けて挿し入れられる集水管５０を備えていることが好ましい。
集水管５０は、例えば、鋼製や塩化ビニル製の管状部材であり、坑壁に埋め込まれる一端部側には、管内に水を取り込むために無数の通水孔が形成されている。
この集水管５０を鋼製土留材１００の小孔１０から坑壁に向けて挿し入れ、その集水管５０の一端部を坑壁に埋め込み、他端部が集水部３０の上方に対応する位置に配置するようにすれば、坑壁からの湧水をその集水管５０を通じて集水部３０に好適に誘導することができる。
なお、集水管５０を坑壁に挿し入れる向きや角度は任意であり、現場ごとに適宜設定すればよい。
【００２９】
また、図２（ｂ）に示すように、鋼製土留材１００の小孔１０から集水部３０へ湧水を流す流路部としてのホース部材６０が設けられていてもよい。
ホース部材６０は、例えば、樹脂製のホースやチューブであり、一端が小孔１０に取り付けられ、他端が集水部３０の容器内に配置されている。
このホース部材６０が、鋼製土留材１００の小孔１０と集水部３０を繋いでいれば、坑壁からの湧水を集水部３０に向けて好適に流すことができる。
【００３０】
また、図２（ｃ）に示すように、鋼製土留材１００の小孔１０から坑壁に一端部を挿し入れた集水管５０の他端部に、流路部としてのホース部材６０が設けられていてもよい。
ここでのホース部材６０は、一端が集水管５０の他端部に取り付けられ、他端が集水部３０の容器内に配置されている。
このホース部材６０が、集水管５０と集水部３０を繋いでいれば、坑壁からの湧水を集水部３０に向けて好適に流すことができる。
【００３１】
次に、本実施形態の鋼製土留材１００を用いた集水方法について説明する。
【００３２】
まず、図３（ａ）に示すように、所定の深さ（例えば、鋼製土留材１００の高さ分の深さ）まで立坑を掘削し、その立坑の坑壁Ｗに鋼製土留材１００を設置する。
このとき、貯水部２０の可撓板２２が坑壁Ｗに当接し、その可撓板２２を伝った湧水が樋状容器２１内に溜まるようになっている。
【００３３】
また、図３（ｂ）、図４に示すように、立坑の坑壁Ｗに設置した鋼製土留材１００の中段と上段の小孔１０から集水管５０を挿し入れ、坑壁Ｗからの湧水を集水管５０を通じて集水部３０に誘導できる位置まで、その集水管５０を坑壁Ｗに埋め込む。
具体的には、集水管５０の一端部を鋼製土留材１００の小孔１０から挿し入れ、集水管５０の他端部が集水部３０の上方に対応する位置になるまで、その集水管５０を坑壁Ｗに埋め込む。
こうすることで、集水管５０を通じて誘導された湧水を集水部３０に集水することができる。
【００３４】
また、図３（ｂ）に示すように、鋼製土留材１００の貯水部２０に一杯に溜まった湧水は、下段の小孔１０を通じて集水部３０に集水することができる。
【００３５】
そして、鋼製土留材１００の集水部３０に溜まった湧水をポンプなどによって地上へ排水するようにすれば、好適に立坑を掘り進めることができる。
【００３６】
次いで、図５に示すように、１段目の鋼製土留材１００と坑壁Ｗの間に裏込め材９０を注入して締め固めた後、所定の深さまで立坑を掘削し、２段目となる鋼製土留材１００を立坑の坑壁Ｗに設置する。
この作業を繰り返すようにして、所定深度まで立坑を掘削し、その坑壁に複数の鋼製土留材１００を設置するようにすれば、複数の鋼製土留材１００で構成された円筒状の土留め構造物を立坑内に構築することができる。
なお、裏込め材９０を注入した後も、坑壁Ｗからの湧水は集水管５０を通じて集水部３０に集水することができる。
【００３７】
このように、本実施形態の鋼製土留材１００、その鋼製土留材１００を用いた集水方法であれば、鋼製土留材１００の貯水部２０や集水部３０に坑壁Ｗからの湧水を溜めることができ、その集水部３０に溜まった湧水をポンプなどによって地上へ排水することができる。
こうした排水処理によって、立坑の底部に湧水が溜まらないようにすることができるので、立坑の底部に釜場をつくったり、その釜場の位置を調整するようにつくり直したりする必要がなく、好適に立坑を掘り進めることができる。
つまり、本実施形態の鋼製土留材１００、またこの鋼製土留材１００を用いた集水方法によれば、釜場排水よりも容易な排水を可能にし、立坑の施工を好適に行うことができる。
【００３８】
なお、以上の実施の形態においては、鋼製土留材１００の一方の面に、坑壁からの湧水を一時的に溜める貯水部２０を設けたが、本発明はこれに限定されるものではなく、例えば、貯水部２０を設けずに、集水管５０を使って集水部３０に湧水を集水するようにしてもよい。
この場合、坑壁の湧水箇所に選択的に集水管５０を埋め込むことが好ましい。そのため、鋼製土留材１００には使用しない分も含めた複数の小孔１０を設けておき、坑壁の湧水箇所に対応する小孔１０に集水管５０を挿し入れて埋め込むように設置すればよい。
【００３９】
また、以上の実施の形態においては、貯水部２０や集水部３０を樋状容器としたが、本発明はこれに限定されるものではなく、例えば、貯水部２０や集水部３０は、箱状容器、タンク状容器などであってもよい。
【００４０】
また、以上の実施の形態においては、鋼製土留材１００の小孔１０から集水部３０へ湧水を流す流路部としてホース部材６０を例に説明したが、本発明はこれに限定されるものではなく、例えば、鋼製土留材１００の他方の面に沿って湧水が流れる板面流路を形成するようにしてもよい。
【００４１】
また、その他、具体的な細部構造等についても適宜に変更可能であることは勿論である。
【符号の説明】
【００４２】
１１    波付鋼板
１２    軸方向フランジ
１２ａ  連結孔
１３    周方向フランジ
１３ａ  連結孔
１０    小孔
２０    貯水部
２１    樋状容器
２２    可撓板
３０    集水部
４０    濾過部材
５０    集水管
６０    ホース部材（流路部）
９０    裏込め材
１００  鋼製土留材
Ｗ      坑壁
【図１】
2019173421.tif 000003
【図２】
2019173421.tif 000004
【図３】
2019173421.tif 000005
【図４】
2019173421.tif 000006
【図５】
2019173421.tif 000007